(57)【要約】【課題】再送データ受信時において選択したＥ−ＤＰＣＣＨを用いてＥ−ＤＰＤＣＨの復号処理を行う無線基地局装置を得ること。【解決手段】データ本体を含むＥ−ＤＰＤＣＨ受信処理が失敗して再送を行うことを決定した場合に、受信処理が失敗したＥ−ＤＰＤＣＨの逆拡散前の信号を格納する受信信号記憶部４と、Ｅ−ＤＰＤＣＨ信号の復調処理を行う際に、初送時のＥ−ＤＰＣＣＨ復号結果および再送時のすべてのＥ−ＤＰＣＣＨ復号結果の中から、各Ｅ−ＤＰＣＣＨ受信時の回線品質情報に基づいて最適なＥ−ＤＰＣＣＨ復号結果を選択するＥ−ＤＰＣＣＨ選択部３と、Ｅ−ＤＰＣＣＨ選択部３により選択されたＥ−ＤＰＣＣＨ復号結果に整合した制御情報を用いて、初送時および再送時の全てのＥ−ＤＰＤＣＨ信号の復調処理を行うＥ−ＤＰＤＣＨ復調部５と、を備える。【選択図】図２
2011055369.tif 000002
【特許請求の範囲】
【請求項１】
符号多重化された上りデータを受信し、ＨＡＲＱを用いたデータの再送制御を行う無線基地局装置であって、
データ本体を含むＥ−ＤＰＤＣＨ受信処理が失敗して再送を行うことを決定した場合に、受信処理が失敗したＥ−ＤＰＤＣＨの逆拡散前の信号を格納する受信信号記憶手段と、
Ｅ−ＤＰＤＣＨ信号の復調処理を行う際に、初送時のＥ−ＤＰＣＣＨ復号結果および再送時の全てのＥ−ＤＰＣＣＨ復号結果の中から、各Ｅ−ＤＰＣＣＨ受信時の回線品質情報に基づいて最適なＥ−ＤＰＣＣＨ復号結果を選択するＥ−ＤＰＣＣＨ選択手段と、
前記Ｅ−ＤＰＣＣＨ選択手段により選択されたＥ−ＤＰＣＣＨ復号結果に整合した制御情報を用いて、初送時および再送時の全てのＥ−ＤＰＤＣＨ信号の復調処理、ＨＡＲＱ合成、および復号処理を行うＥ−ＤＰＤＣＨ復号手段と、
を備えることを特徴とする無線基地局装置。
【請求項２】
前記回線品質情報を、受信電力値、推定した希望波電力値、干渉電力値のうちの少なくともいずれか１つ、とする、
ことを特徴とする請求項１に記載の無線基地局装置。
【請求項３】
前記Ｅ−ＤＰＣＣＨ選択手段は、初送を含めたＥ−ＤＰＣＣＨの受信回数が３回以上の場合、前記回線品質情報を用いず、Ｅ−ＤＰＣＣＨ復号結果の各制御情報値の多数決に基づいて選択する、
ことを特徴とする請求項１に記載の無線基地局装置。
【請求項４】
Ｅ−ＤＰＣＣＨ復号結果が複数あり、前記Ｅ−ＤＰＤＣＨ復号手段が、前記Ｅ−ＤＰＣＣＨ選択手段が最初に選択したＥ−ＤＰＣＣＨ復号結果に整合した制御情報値を用いて、Ｅ−ＤＰＤＣＨ信号の復調処理、ＨＡＲＱ合成、および復号処理を行った結果、受信失敗と判定した場合、
前記Ｅ−ＤＰＣＣＨ選択手段は、異なるＥ−ＤＰＣＣＨ復号結果を新たに選択し、
前記Ｅ−ＤＰＤＣＨ復号手段は、新たに選択されたＥ−ＤＰＣＣＨ復号結果に整合した制御情報に基づいて、Ｅ−ＤＰＤＣＨ信号の復調処理、ＨＡＲＱ合成、および復号処理を行う、
ことを特徴とする請求項１、２または３に記載の無線基地局装置。
【請求項５】
前記受信信号記憶手段は、受信に失敗したＥ−ＤＰＤＣＨの逆拡散前の信号を、累積して格納する、
ことを特徴とする請求項１〜４のいずれか１つに記載の無線基地局装置。
【請求項６】
さらに、
受信したＤＰＣＣＨの復号結果およびチャネル推定結果からＤＰＣＣＨのレプリカを作成するＤＰＣＣＨ復号レプリカ作成手段、
を備え、
前記受信信号記憶手段は、受信に失敗したＥ−ＤＰＤＣＨの逆拡散前の信号から、当該信号に対応するＤＰＣＣＨのレプリカ成分を減算したＥ−ＤＰＤＣＨ信号を格納し、
前記Ｅ−ＤＰＤＣＨ復号手段は、減算後のＥ−ＤＰＤＣＨ信号の復調処理、ＨＡＲＱ合成、および復号処理を行う、
ことを特徴とする請求項１〜５のいずれか１つに記載の無線基地局装置。
【発明の詳細な説明】
【技術分野】
【０００１】
本発明は、セルラ通信システムにおける無線基地局装置に関する。
【背景技術】
【０００２】
Ｗ−ＣＤＭＡ（Wideband  Code  Division  Multiple  Access）の上りリンク伝送の高速化を目的として、ＨＡＲＱ（Hybrid  Automatic  Repeat  Request）などの技術を盛り込んだＥＵＬ（Enhanced  Uplink）が３ＧＰＰ（3rd  Generation  Partnership  Project）  Ｒｅｌｅａｓｅ６で規格化されている。
【０００３】
ＥＵＬでは、端末がデータ送信を行う際、データ本体を含むＥ−ＤＰＤＣＨ（E−DCH（Enhanced−Dedicated  Channel）  Dedicated  Physical  Data  Channel）と、その復調のために必要な制御情報を含むＥ−ＤＰＣＣＨ（E−DCH  Dedicated  Physical  Control  Channel）を符号多重して同時に送信する。Ｅ−ＤＰＣＣＨが伝送する制御情報には、Ｅ−ＤＰＤＣＨの送信ブロックサイズ、拡散率、多重信号数等を意味するＥ−ＴＦＣＩ（E−DCH  Transport  Format  Combination  Indicator）や、ＨＡＲＱにおける再送回数を示すＲＳＮ（Retransmission  Sequence  Number）が含まれる。受信機である基地局は、信号を受信後、まずＥ−ＤＰＣＣＨを復号し、その結果に基づいてＥ−ＤＰＤＣＨを復号する。具体的には、Ｅ−ＤＰＤＣＨの拡散符号を知るためにＥ−ＴＦＣＩを利用する。
【０００４】
ＥＵＬにおけるＨＡＲＱ処理は、基地局が、Ｅ−ＤＰＤＣＨデータの復号が成功したかどうかをＥ−ＤＰＤＣＨに付加されたＣＲＣ（Cyclic  Redundancy  Check）によって判断し、成功した場合はＡＣＫ（Positive  Acknowledgement）、失敗した場合はＮＡＣＫ（Negative  Acknowledgement）をデータの送信側（端末）へ返送し、また、ＨＡＲＱバッファに復調に失敗したデータを保持する。ＮＡＣＫを受けた端末はデータを再送し、基地局は、再送データとＨＡＲＱバッファ内のデータを合成し、再度復号を試みる。データの受け渡しが失敗した場合、ＨＡＲＱバッファを利用して以前の受信結果を最新の受信結果と合成することで、時間ダイバーシチ効果を引き出すことができる。
【０００５】
ここで、ＨＡＲＱバッファは、一定の条件でフラッシュされる。ＥＵＬでは、基地局が、再送時のＲＳＮの値の整合性をチェックし、規則に従っていなければＨＡＲＱバッファをフラッシュする。このような技術が下記非特許文献１において開示されている。
【０００６】
また、再送時の送信ブロックサイズは、そのデータの初送時の送信ブロックサイズと同じになるように制御されることが下記特許文献１において開示されている。すなわち、初送時のＥ−ＴＦＣＩと再送時のＥ−ＴＦＣＩは同じ値が設定される。
【先行技術文献】
【非特許文献】
【０００７】
【非特許文献１】３ＧＰＰ  Ｒｅｌｅａｓｅ６  ＴＳ２５．２１２  Ｖ６．１０．０  ２００６年
【特許文献】
【０００８】
【特許文献１】Ｕ．Ｓ．  Ｐａｔｅｎｔ  Ａｐｐｌｉｃａｔｉｏｎ  Ｓｅｒｉａｌ  Ｎｏ．  １１／９６８９７９
【発明の概要】
【発明が解決しようとする課題】
【０００９】
しかしながら、上記従来の技術（非特許文献１）によれば、再送データ受信時にＲＳＮが整合しない場合はＨＡＲＱバッファをフラッシュし、受信データを捨ててしまう。そのため、ＨＡＲＱの伝送効率向上効果を十分に引き出せない、という問題があった。
【００１０】
また、上記従来の技術（特許文献１）によれば、基地局側で受信したＥ−ＴＦＣＩが初送時点と異なる場合、初送時または再送時のＥ−ＤＰＣＣＨの復号に失敗している可能性がある。Ｅ−ＤＰＣＣＨの復号に失敗した場合、誤ったＥ−ＴＦＣＩを使って復号されたデータがＨＡＲＱバッファに存在する。そのため、ＨＡＲＱ合成において想定した受信品質向上効果を得ることができない、という問題があった。
【００１１】
さらに、無線基地局装置は、Ｅ−ＤＰＣＣＨ、Ｅ−ＤＰＤＣＨと同時に非ＥＵＬの物理チャネルであるＤＰＣＣＨを受信している。そのため、他端末からのＤＰＣＣＨの受信電力が大きい場合には干渉し、各チャネルの受信品質が低下する、という問題があった。
【００１２】
本発明は、上記に鑑みてなされたものであって、再送データを受信した場合に、選択したＥ−ＤＰＣＣＨを用いてＥ−ＤＰＤＣＨの復号処理を行う無線基地局装置を得ることを目的とする。
【課題を解決するための手段】
【００１３】
上述した課題を解決し、目的を達成するために、本発明は、符号多重化された上りデータを受信し、ＨＡＲＱを用いたデータの再送制御を行う無線基地局装置であって、データ本体を含むＥ−ＤＰＤＣＨ受信処理が失敗して再送を行うことを決定した場合に、受信処理が失敗したＥ−ＤＰＤＣＨの逆拡散前の信号を格納する受信信号記憶手段と、Ｅ−ＤＰＤＣＨ信号の復調処理を行う際に、初送時のＥ−ＤＰＣＣＨ復号結果および再送時の全てのＥ−ＤＰＣＣＨ復号結果の中から、各Ｅ−ＤＰＣＣＨ受信時の回線品質情報に基づいて最適なＥ−ＤＰＣＣＨ復号結果を選択するＥ−ＤＰＣＣＨ選択手段と、前記Ｅ−ＤＰＣＣＨ選択手段により選択されたＥ−ＤＰＣＣＨ復号結果に整合した制御情報を用いて、初送時および再送時の全てのＥ−ＤＰＤＣＨ信号の復調処理、ＨＡＲＱ合成、および復号処理を行うＥ−ＤＰＤＣＨ復号手段と、を備えることを特徴とする。
【発明の効果】
【００１４】
本発明によれば、Ｅ−ＤＰＤＣＨを正常に復号できる可能性が高くなり、伝送効率を向上することができる、という効果を奏する。
【図面の簡単な説明】
【００１５】
【図１】図１は、従来からの無線基地局装置の構成例を示す図である。
【図２】図２は、本実施の形態の無線基地局装置の構成例を示す図である。
【図３】図３は、本実施の形態の無線基地局装置の構成例を示す図である。
【図４】図４は、初送時の受信処理を示すフローチャートである。
【図５】図５は、再送時の受信処理を示すフローチャートである。
【発明を実施するための形態】
【００１６】
以下に、本発明にかかる無線基地局装置の実施の形態を図面に基づいて詳細に説明する。なお、この実施の形態によりこの発明が限定されるものではない。
【００１７】
実施の形態．
最初に、従来からのＥＵＬ対応の無線基地局装置による受信処理について簡単に説明する。図１は、従来からの無線基地局装置の構成例を示す図である。ここでは、アンテナで受信した信号をダウンコンバージョンし、Ａ／Ｄ（Analogue／Digital）変換部でデジタル信号に変換された後から、Ｅ−ＤＰＤＣＨの復号が完了し、データを上位レイヤに渡す前までの処理を示す。
【００１８】
図１に示す無線基地局装置１００では、Ａ／Ｄ変換部１１が、受信したアナログ信号をデジタル信号に変換して出力する（Ｆ１１）。Ｅ−ＤＰＣＣＨ復調復号部１２は、デジタル信号に対して、逆拡散、位相補償を含む復調処理および復号処理を行い、Ｅ−ＴＦＣＩとＲＳＮを取り出す。その後、Ｅ−ＤＰＤＣＨ復調部１４は、受信信号記憶部１３にキャッシュされた受信信号を取り出し（Ｆ１３）、Ｅ−ＤＰＣＣＨ復調復号部１２の出力（Ｆ１２）に含まれる制御情報を用いて逆拡散、位相補償等の処理を含む復調処理を行う。Ｅ−ＤＰＤＣＨ復調部１４は、復調後のデータをＨＡＲＱ合成部１６に送り（Ｆ１４）、また、ＨＡＲＱバッファの役割を行う復調結果記憶部１５にデータを送る（Ｆ１５）。ＨＡＲＱ合成部１６は、受け取ったデータ（Ｆ１４）に対して合成対象のデータが復調結果記憶部１５にあればこれを取り出し（Ｆ１６）、ＨＡＲＱ合成処理を行う。ＨＡＲＱ合成部１６は、合成したデータを復号ＣＲＣ判定部１７に送る（Ｆ１７）。復号ＣＲＣ判定部１７は、Ｅ−ＤＰＤＣＨの復号処理とＣＲＣ判定を行い、ＣＲＣ判定で正常と判断されたデータを出力し、より上位のレイヤの処理へ送る（Ｆ１８）。
【００１９】
なお、Ｅ−ＤＰＣＣＨ復調復号部１２は、再送時には初送以降のこれまでのデータとの整合性をチェックし、ＲＳＮが不整合となった場合はバッファフラッシュを指示する信号（Ｆ１９）を復調結果記憶部１５へ送る。これにより、復調結果記憶部１５においてバッファフラッシュが行われる。
【００２０】
つぎに、本実施の形態における無線基地局装置による受信処理について説明する。図２は、本実施の形態における無線基地局装置の構成例を示す図である。無線基地局装置１０は、Ａ／Ｄ変換部１と、Ｅ−ＤＰＣＣＨ復調復号部２と、Ｅ−ＤＰＣＣＨ選択部３と、受信信号記憶部４と、Ｅ−ＤＰＤＣＨ復調部５と、ＨＡＲＱ合成部６と、復号ＣＲＣ判定部７と、を備える。
【００２１】
Ａ／Ｄ変換部１は、無線基地局装置１０において受信したアナログ信号をデジタル信号に変換する。Ｅ−ＤＰＣＣＨ復調復号部２は、変換後のデジタル信号に対して逆拡散、位相補償を含むＥ−ＤＰＣＣＨの復調処理および復号処理を行う。Ｅ−ＤＰＣＣＨ選択部３は、データの再送があった場合に、Ｅ−ＤＰＤＣＨの復調に使用するＥ−ＤＰＣＣＨを選択する。受信信号記憶部４は、デジタル変換後の受信信号を格納するための記憶部である。Ｅ−ＤＰＤＣＨ復調部５は、受信信号記憶部４に格納された受信信号と、Ｅ−ＤＰＣＣＨ選択部３によって選択されたＥ−ＤＰＣＣＨの制御情報と、を用いて、逆拡散、位相補償等の処理を含むＥ−ＤＰＤＣＨの復調処理を行う。ＨＡＲＱ合成部６は、受け取ったデータに対してＨＡＲＱ合成処理を行う。復号ＣＲＣ判定部７は、ＨＡＲＱ合成処理後のデータを復号し、ＣＲＣ判定を行う。
【００２２】
無線基地局装置１０では、Ａ／Ｄ変換部１が、受信したアナログ信号をデジタル信号に変換して出力する（Ｆ０１）。Ｅ−ＤＰＣＣＨ復調復号部２は、デジタル信号に対して、Ｅ−ＤＰＣＣＨの逆拡散、位相補償を含む復調処理、およびＥ−ＴＦＣＩとＲＳＮを含む制御データの取り出しを行うための復号処理を行い、前回のＥ−ＤＰＣＣＨ復号結果との整合性チェックを行う。Ｅ−ＤＰＣＣＨ復調復号部２は、制御データと整合性のチェック結果をＥ−ＤＰＣＣＨ選択部３へ送る（Ｆ０２）。Ｅ−ＤＰＣＣＨ選択部３は、初送時と再送時でＥ−ＤＰＣＣＨ復号結果が不整合であった場合、より信頼できるＥ−ＤＰＣＣＨを選択し、選択したＥ−ＤＰＣＣＨに整合する制御信号値を生成してＥ−ＤＰＤＣＨ復調部５に通知する（Ｆ０３）。
【００２３】
Ｅ−ＤＰＣＣＨ選択部３における選択の基準としては、例えば、それぞれのＥ−ＤＰＣＣＨを受信した際のＥ−ＤＰＣＣＨの受信電力、または、ＳＩＲ（Signal  to  Interference  Ratio）などを基準として最も品質がよいと判断されるものを選択する方法があるが、これらに限定するものではない。例えば、干渉電力や推定した希望波電力を用いることも可能であり、これらを要素とした関数を用いることも可能である。また、初送時のＲＳＮが０で、再送時のＲＳＮが本来期待された１でなく２であった場合、再送時のＳＩＲが小さく信頼度が低いときはこれを２ではなく本来予期した１としてＨＡＲＱを継続し、バッファフラッシュを行わないとする処理を行う。また、再送時のＥ−ＴＦＣＩが初送時と異なる場合、ＳＩＲの大きい方の送信時（初送時または再送時）のＥ−ＴＦＣＩを、初送時および再送時におけるＥ−ＴＦＣＩとすることができる。
【００２４】
つぎに、再送回数が多数回になる場合の選択方法について説明する。再送が繰り返されてＮ−１回目の再送において、例えば、Ｅ−ＴＦＣＩの値としてｂという値を選択した場合、ｂという値と、それを選択したＳＩＲなどの回線品質値ｐを記録し、Ｎ回目の再送においてＥ−ＴＦＣＩでｃという値を受信し、そのときの回線品質値がｑであれば、ｑがｐより大きければｃを選択し、そうでなければｂを選択するといった選択方法が考えられる。このように選択をしていくことで、各再送でＥ−ＤＰＣＣＨが不整合であった場合、常に２択でその再送時のＥ−ＤＰＣＣＨを決定することができる。
【００２５】
また、再送が繰り返されて３回以上の受信になった場合では、それぞれのＥ−ＤＰＣＣＨ復号結果の多数決をとる選択方法を採用してもよい。例えば、Ｅ−ＴＦＣＩが、初送、２回目、３回目の順に、０、１、０の値をとった場合、０であるとみなしてこれら３回分のデータを復調、合成する。ただし、３回以上の受信となり、全て異なるＥ−ＴＦＣＩであった場合には、多数決をとることができないので、前述した回線品質を基準とする方法と切り替えてＥ−ＴＦＣＩを選択できるような構成をとってもよい。
【００２６】
なお、本実施の形態における無線基地局装置１０では、Ｅ−ＤＰＣＣＨ選択部３が、バッファフラッシュ指示の信号（Ｆ０４）を出力する。これは、ＲＳＮが不整合であった場合、即時にバッファフラッシュを行わず、上述の選択処理を試みた上で、選択指標となるＳＩＲ等がいずれも小さく、信用できないときのみバッファフラッシュを行う等の運用方法を可能とするためである。
【００２７】
ＨＡＲＱバッファの役割を果たす受信信号記憶部４は、Ａ／Ｄ変換後の信号（Ｆ０１）を逆拡散前の状態で登録する。なお、受信信号記憶部４に格納された信号値は、上記のバッファフラッシュ指定信号（Ｆ０４）以外、様々な条件でフラッシュしてよい。例えば、規格で規定されているようにＥ−ＤＰＣＣＨがある回数以上不検出であった場合に、また、データを正常に復号完了し、次のデータを復号するために利用可能なメモリを確保する場合に、内部データをフラッシュすることが妥当である。
【００２８】
受信信号記憶部４は、初送からそれまでの再送時の信号を格納しており、次の再送データを受信して新しい信号を登録する度に、Ｅ−ＤＰＤＣＨ復調部５に対して、新しい信号を含む全ての過去の信号を渡す（Ｆ０５）。Ｅ−ＤＰＤＣＨ復調部５は、Ｅ−ＤＰＣＣＨ選択部３から出力された制御信号（Ｆ０３）をもとに逆拡散用符号を決定し、受信信号記憶部４から受け取ったデータの逆拡散、位相補償などを行い、この結果をＨＡＲＱ合成部６に送る（Ｆ０６）。ＨＡＲＱ合成部６は、ＨＡＲＱ合成を行い、合成後のデータを復号ＣＲＣ判定部７に送る（Ｆ０７）。復号ＣＲＣ判定部７は、Ｅ−ＤＰＤＣＨデータの復号処理と、ＣＲＣ判定を行う。復号ＣＲＣ判定部７は、ＣＲＣ判定で正常と判断されたデータを出力し、より上位のレイヤの処理へ送る（Ｆ０８）。なお、ＨＡＲＱ合成以降の処理は、図１に示す従来の無線基地局装置１００と同様である。
【００２９】
このように、初送時および各再送時において、復号済みＥ−ＤＰＣＣＨと最新のＥ−ＤＰＣＣＨ復号結果からＳＩＲ等の基準に基づいて、より確からしいＥ−ＤＰＣＣＨを選択し、逆拡散前のデータからの復調をやり直す処理を行う。例えば、初送時のＥ−ＴＦＣＩが１で、再送時が２であったとき、再送時のＳＩＲが再送時と比べて高い場合は、初送時のＥ−ＴＦＣＩも２であったとして逆拡散から処理をやり直す。これにより、初送時のＥ−ＤＰＣＣＨの誤りを検出し、ＨＡＲＱ合成結果の品質低下を抑えることができる。また、再送回数を増やすことなく復号完了する確率が高くなり、伝送効率が向上する。
【００３０】
なお、再送データを受信する度に逆拡散をやり直すこととしたが、これに限定するものではない。例えば、上記ＳＩＲが十分にあるなど、Ｅ−ＤＰＣＣＨの信頼度が高かった場合、同じ復調処理を繰り返さないように、従来と同じ逆拡散、復調後のＨＡＲＱバッファを併用してもよい。
【００３１】
つぎに、受信したデータの受信品質を向上させる方法について説明する。図３は、本実施の形態における無線基地局装置の構成例を示す図である。無線基地局装置１０ａは、Ａ／Ｄ変換部１と、Ｅ−ＤＰＣＣＨ復調復号部２と、Ｅ−ＤＰＣＣＨ選択部３と、受信信号記憶部４ａと、Ｅ−ＤＰＤＣＨ復調部５と、ＨＡＲＱ合成部６と、復号ＣＲＣ判定部７と、ＤＰＣＣＨ復号レプリカ生成部８と、を備える。ＤＰＣＣＨ復号レプリカ生成部８は、ＤＰＣＣＨを復号し、チャネル測定結果からＤＰＣＣＨのレプリカを生成する。受信信号記憶部４ａは、ＤＰＣＣＨ復号レプリカ生成部８から受け取ったレプリカの成分を、対応する受信データから減算した受信データを記憶する。無線基地局装置１０ａでは、ＤＰＣＣＨ復号レプリカ生成部８および受信信号記憶部４ａによって、他端末からの上りＤＰＣＣＨを受信信号からキャンセルする処理を行う。
【００３２】
無線基地局装置１０ａにおいて、ＤＰＣＣＨ復号レプリカ生成部８は、エリア内の各端末からの信号をそれぞれ処理して復号するが、ＤＰＣＣＨの復号処理は従来と同等である。ＤＰＣＣＨ復号レプリカ生成部８は、復号結果とチャネル測定結果からＤＰＣＣＨのレプリカを生成し、対応する受信データからレプリカの成分を減算するように受信信号記憶部４ａにレプリカを渡す（Ｆ０９）。受信信号記憶部４ａは、受信データからレプリカの成分を減算したデータを格納する。これにより、Ｅ−ＤＰＤＣＨ復調部５以降の復調処理において、干渉成分であるＤＰＣＣＨが取り除かれたデータに基づいて復調が行われるため、受信品質を向上させることができる。その他の処理については、無線基地局装置１０と同様である。なお、受信信号記憶部４ａが、レプリカの成分を対応する受信データから減算して記憶することとしたが、これに限定するものではなく、減算処理を、別の構成で行ってもよいし、Ｅ−ＤＰＤＣＨ復調部５で行うこととしてもよい。
【００３３】
ここで、無線基地局装置１０ａの初送時および再送時における受信処理を、フローチャートに基づいて説明する。図４は、初送時の受信処理を示すフローチャートである。初送の信号を受信（ステップＳ１）した無線基地局装置１０ａでは、Ａ／Ｄ変換部１がＡ／Ｄ変換し（ステップＳ２）、Ｅ−ＤＰＣＣＨ復調復号部２においてＥ−ＤＰＣＣＨの復調および復号を行う（ステップＳ３）。この結果に基づいて、Ｅ−ＤＰＤＣＨ復調部５が、Ｅ−ＤＰＤＣＨを復調し（ステップＳ４）、復号ＣＲＣ判定部７が、復号する（ステップＳ５）。さらに、復号ＣＲＣ判定部７において、得られたビット系列に対してＣＲＣ判定を実施し（ステップＳ６）、ＯＫ（受信成功）となった場合（ステップＳ６：ＯＫ）、受信完了として、上位レイヤへのデータの受け渡し、および、ＡＣＫ信号の返答のための処理を行う（ステップＳ７）。ＣＲＣ判定でＮＧ（受信失敗）となった場合（ステップＳ６：ＮＧ）、ＤＰＣＣＨ復号レプリカ生成部８が、ＤＰＣＣＨのレプリカ生成処理を行い（ステップＳ８）、受信信号記憶部４ａが、受信データからの減算処理であるＤＰＣＣＨキャンセルを行う（ステップＳ９）。ＨＡＲＱバッファとして機能する受信信号記憶部４ａが、受信信号を保存し（ステップＳ１０）、あわせて、再送以降の処理で整合性のチェックが可能となるようにＥ−ＤＰＣＣＨを保存する（ステップＳ１１）。
【００３４】
図５は、再送時の受信処理を示すフローチャートである。Ｅ−ＤＰＣＣＨ復調および復号（ステップＳ３）までの処理は初送時と同じである。Ｅ−ＤＰＣＣＨ選択部３が、Ｅ−ＤＰＣＣＨの復号結果と前回受信時の値との整合性の判定を行い（ステップＳ２１）、不整合の場合（ステップＳ２１：ＮＧ）はＥ−ＤＰＣＣＨを選択する処理を行う（ステップＳ２２）。このとき、Ｅ−ＤＰＣＣＨ選択部３は、ＨＡＲＱ合成可能な整合性のあるＥ−ＴＦＣＩ、ＲＳＮを選択する。この結果を用いて、Ｅ−ＤＰＤＣＨ復調部５が、受信信号記憶部４ａに格納されている初送からそれまでの再送全ての信号の逆拡散を含むＥ−ＤＰＤＣＨの復調処理を行う（ステップＳ２３）。その後、ＨＡＲＱ合成部６が、復調後のデータのＨＡＲＱ合成を行い（ステップＳ２４）、復号ＣＲＣ判定部７が、Ｅ−ＤＰＤＣＨの復号（ステップＳ５）、およびＣＲＣ判定（ステップＳ６）の順に処理を行う。以降の処理は図４に示す初送時の処理と同様である。なお、Ｅ−ＤＰＣＣＨの復号結果と前回受信時の値が整合した場合（ステップＳ２１：ＯＫ）は、Ｅ−ＤＰＣＣＨを選択することなくＥ−ＤＰＤＣＨの復調処理を行う（ステップＳ２３）。
【００３５】
なお、再送時（図５）のフローチャートでは、再送時受信データのＤＰＣＣＨキャンセルの処理（ステップＳ８〜Ｓ９）を省略しているが、初送時（図４）と同様に実施してもよい。また、初送時（図４）のＤＰＣＣＨキャンセルのタイミングを、ＣＲＣ  ＮＧ判定後としているが、これに限定するものではなく、図中に示す各復号処理の前に行うこととしてもよい。ＤＰＣＣＨキャンセルを先に行うことにより復号結果の精度向上が見込めるが、本来キャンセルが不要な十分な品質のデータについてもキャンセルを行うことがあり、無駄が大きくなることも予想される。そのため、初送時（図４）では、ＣＲＣ  ＮＧとなった（ステップＳ６：ＮＧ）後にＤＰＣＣＨキャンセルを行うこととする。
【００３６】
なお、無線基地局装置１０ａについて説明したが、ステップＳ８〜Ｓ９におけるＤＰＣＣＨキャンセル処理を削除することにより、無線基地局装置１０に適用可能である。
【００３７】
以上説明したように、本実施の形態によれば、データ再送時にＥ−ＤＰＣＣＨの不整合を検出した場合、各送信時のデータのＳＩＲ等に基づいて信頼できるＥ−ＤＰＣＣＨを選択し、選択したＥ−ＤＰＣＣＨから復号した制御情報に基づいて各再送回のＥ−ＤＰＤＣＨの復号を行うこととした。これにより、Ｅ−ＤＰＤＣＨを正常に復号できる可能性が高くなり、伝送効率を向上することができる。また、新たにＥ−ＤＰＣＣＨを選択した場合には、新たに選択したＥ−ＤＰＣＣＨから復号した制御情報に基づいて初送時からのＥ−ＤＰＤＣＨの復調をやり直すこととした。これにより、誤ったＥ−ＴＦＣＩを使って復号されたデータが無くなるため、ＨＡＲＱ合成の際、想定した受信品質の向上効果を得ることができる。
【００３８】
また、Ｅ−ＤＰＣＣＨ、Ｅ−ＤＰＤＣＨと同時に受信するＤＰＣＣＨのレプリカを作成し、対応する受信データからレプリカの成分を減算することによって、干渉成分を取り除いたデータに基づいてＥ−ＤＰＤＣＨ復調以降の処理を行えるため、受信品質を向上させることができる。
【００３９】
なお、Ｅ−ＤＰＣＣＨ選択部３において、不整合を検出した際の処理において同等の選択候補があった場合は、一方を選択して復号されたデータがＣＲＣ判定で受信失敗と判定されたときは、他方を選択して再度復調および復号処理を試行することとしてもよい。例えば、選択候補となった各Ｅ−ＤＰＣＣＨの回線品質値が同等であったときに有効である。この場合、両方を用いて復号を試行することで、再送回数を抑えて復号を成功させる確率が向上する。
【００４０】
また、逆拡散前のデータをＨＡＲＱバッファの役割を果たす受信信号記憶部４に格納するため、使用するメモリ量が大きくなる傾向がある。これを抑制するため、受信信号記憶部４に受信値の累積値を格納する構成をとってもよい。これにより、各回の個別の受信値を取り出すことができなくなるが、各再送で同一のデータを送受するＣｈａｓｅ合成によるＨＡＲＱを実施する場合は、累積値を使って復号処理を行うことが可能である。
【産業上の利用可能性】
【００４１】
以上のように、本発明にかかる無線基地局装置は、ＥＵＬ対応の無線基地局装置に有用であり、特に、ＨＡＲＱを用いた再送制御を行う無線基地局装置に適している。
【符号の説明】
【００４２】
１  Ａ／Ｄ変換部
２  Ｅ−ＤＰＣＣＨ復調復号部
３  Ｅ−ＤＰＣＣＨ選択部
４、４ａ  受信信号記憶部
５  Ｅ−ＤＰＤＣＨ復調部
６  ＨＡＲＱ合成部
７  復号ＣＲＣ判定部
８  ＤＰＣＣＨ復号レプリカ生成部
１０、１０ａ  無線基地局装置
【図１】
2011055369.tif 000003
【図２】
2011055369.tif 000004
【図３】
2011055369.tif 000005
【図４】
2011055369.tif 000006
【図５】
2011055369.tif 000007